(57)【要約】  ワイヤレス通信のための方法および装置を提供している。１つの態様において、ワイヤレス通信のための方法は、特有の媒体アクセス制御（ＭＡＣ）アドレスを含む送信可メッセージを発生させることを含んでおり、特有のＭＡＣアドレスは、複数のワイヤレスデバイスのうちの第１のサブセットによって、関係付けられているネットワーク割り振りベクトルの、送信可メッセージ中の持続時間フィールドにしたがった更新をしないように命令するものとして識別可能である。特有のＭＡＣアドレスは、複数のワイヤレスデバイスのうちの第２のサブセットによって識別可能でなく、複数のワイヤレスデバイスのうちの第２のサブセットは、関係付けられているネットワーク割り振りベクトルの、持続時間フィールドにしたがった更新をするように命令される。方法は、メッセージを送信し、それにより、複数のワイヤレスデバイスのうちの第１のサブセットに対するワイヤレス通信アクセスを予約することをさらに含んでいる。特有のＭＡＣアドレスは、メッセージの媒体アクセス制御ヘッダの１つ以上のアドレスフィールド中に含まれている。【選択図】図３
2016536876.tif 000002
【特許請求の範囲】
【請求項１】
ワイヤレス通信の方法において、
特有の媒体アクセス制御（ＭＡＣ）アドレスを含む送信可メッセージを発生させ、前記特有のＭＡＣアドレスは、複数のワイヤレスデバイスのうちの第１のサブセットによって、関係付けられているネットワーク割り振りベクトルの、前記メッセージ中の持続時間フィールドにしたがった更新をしないように命令するものとして識別可能であることと、
前記メッセージを送信し、それにより、前記複数のワイヤレスデバイスのうちの第１のサブセットに対するワイヤレス通信アクセスを予約することとを含み、
前記特有のＭＡＣアドレスは、前記複数のワイヤレスデバイスのうちの第２のサブセットによって識別可能でなく、前記第２のサブセットは、関係付けられているネットワーク割り振りベクトルの、前記持続時間フィールドにしたがった更新をするように命令される方法。
【請求項２】
前記特有のＭＡＣアドレスは、前記メッセージの媒体アクセス制御ヘッダの受信機アドレスフィールド中に含まれている請求項１記載の方法。
【請求項３】
前記特有のＭＡＣアドレスは、前記メッセージの媒体アクセス制御ヘッダの送信機アドレスフィールド中に含まれている請求項１記載の方法。
【請求項４】
前記特有のＭＡＣアドレスは、前記メッセージの媒体アクセス制御ヘッダの、発信元アドレスフィールドと宛先アドレスフィールドとのうちの少なくとも１つの中に含まれている請求項１記載の方法。
【請求項５】
前記特有のＭＡＣアドレスは、マルチキャストＭＡＣアドレス、または、ローカルに管理されるＭＡＣアドレス、のうちの１つである請求項１記載の方法。
【請求項６】
前記メッセージ中の前記特有のＭＡＣアドレスを識別することは、前記複数のワイヤレスデバイスのうちの第１のサブセットに対して、前記メッセージの物理レイヤヘッダのサービスフィールド中に追加の情報が位置付けられていることをさらに知らせる請求項１記載の方法。
【請求項７】
前記複数のワイヤレスデバイスのうちの少なくとも前記第１のサブセットに対して、少なくとも１つの管理フレームを送信することをさらに含み、
前記管理フレームは、前記特有のＭＡＣアドレスと、前記特有のＭＡＣアドレスに関係付けられている１つ以上の命令とを含む請求項１記載の方法。
【請求項８】
前記特有のＭＡＣアドレスは、前記複数のワイヤレスデバイスのうちの第１のサブセットによって、前記特有のＭＡＣアドレスに関係付けられているワイヤレス通信アクセススキームの使用を命令するものとしてさらに識別可能である請求項１記載の方法。
【請求項９】
前記ワイヤレス通信アクセススキームは、前記複数のワイヤレスデバイスのうちの第２のサブセットによって利用されるバックオフスロットの長さよりも大きい長さを有するバックオフスロットを利用する請求項８記載の方法。
【請求項１０】
ワイヤレス通信のための装置において、
特有の媒体アクセス制御（ＭＡＣ）アドレスを含む送信可メッセージを発生させるように構成され、前記特有のＭＡＣアドレスは、複数のワイヤレスデバイスのうちの第１のサブセットによって、関係付けられているネットワーク割り振りベクトルの、前記メッセージ中の持続時間フィールドにしたがった更新をしないように命令するものとして識別可能であるプロセッサと、
前記メッセージを送信し、それにより、前記複数のワイヤレスデバイスのうちの第１のサブセットに対するワイヤレス通信アクセスを予約するように構成されている送信機とを具備し、
前記特有のＭＡＣアドレスは、前記複数のワイヤレスデバイスのうちの第２のサブセットによって識別可能でなく、前記第２のサブセットは、関係付けられているネットワーク割り振りベクトルの、前記持続時間フィールドにしたがった更新をするように命令される装置。
【請求項１１】
前記プロセッサは、前記メッセージの媒体アクセス制御ヘッダの受信機アドレスフィールド中に、前記特有のＭＡＣアドレスを含めるようにさらに構成されている請求項１０記載の装置。
【請求項１２】
前記プロセッサは、前記メッセージの媒体アクセス制御ヘッダの送信機アドレスフィールド中に、前記特有のＭＡＣアドレスを含めるようにさらに構成されている請求項１０記載の装置。
【請求項１３】
前記プロセッサは、前記メッセージの媒体アクセス制御ヘッダの、発信元アドレスフィールドと宛先アドレスフィールドとのうちの少なくとも１つの中に、前記特有のＭＡＣアドレスを含めるようにさらに構成されている請求項１０記載の装置。
【請求項１４】
前記アドレスは、マルチキャストＭＡＣアドレス、または、ローカルに管理されるＭＡＣアドレス、のうちの１つを含む請求項１０記載の装置。
【請求項１５】
前記プロセッサは、前記メッセージの物理レイヤヘッダのサービスフィールド中に追加の情報を含めるようにさらに構成されている請求項１０記載の装置。
【請求項１６】
前記送信機は、前記複数のワイヤレスデバイスのうちの少なくとも前記第１のサブセットに対して、少なくとも１つの管理フレームを送信するようにさらに構成されており、
前記管理フレームは、前記特有のＭＡＣアドレスと、前記特有のＭＡＣアドレスに関係付けられている１つ以上の命令とを含む請求項１０記載の装置。
【請求項１７】
前記特有のＭＡＣアドレスは、前記複数のワイヤレスデバイスのうちの第１のサブセットによって、前記特有のＭＡＣアドレスに関係付けられているワイヤレス通信アクセススキームの使用を命令するものとしてさらに識別可能である請求項１０記載の装置。
【請求項１８】
前記ワイヤレス通信アクセススキームは、前記複数のワイヤレスデバイスのうちの第２のサブセットによって利用されるバックオフスロットの長さよりも大きい長さを有するバックオフスロットを利用する請求項１７記載の装置。
【請求項１９】
非一時的コンピュータ読取可能媒体において、
実行されるとき、装置に、
特有の媒体アクセス制御（ＭＡＣ）アドレスを含む送信可メッセージを発生させ、前記特有のＭＡＣアドレスは、複数のワイヤレスデバイスのうちの第１のサブセットによって、関係付けられているネットワーク割り振りベクトルの、前記メッセージ中の持続時間フィールドにしたがった更新をしないように命令するものとして識別可能であり、
前記メッセージを送信させ、それにより、前記複数のワイヤレスデバイスのうちの第１のサブセットに対するワイヤレス通信アクセスを予約させるコードを含み、
前記特有のＭＡＣアドレスは、前記複数のワイヤレスデバイスのうちの第２のサブセットによって識別可能でなく、前記第２のサブセットは、関係付けられているネットワーク割り振りベクトルの、前記持続時間フィールドにしたがった更新をするように命令される非一時的コンピュータ読取可能媒体。
【請求項２０】
前記特有のＭＡＣアドレスは、前記メッセージの媒体アクセス制御ヘッダの受信機アドレスフィールド中に含まれている請求項１９記載の非一時的コンピュータ読取可能媒体。
【請求項２１】
前記特有のＭＡＣアドレスは、前記メッセージの媒体アクセス制御ヘッダの送信機アドレスフィールド中に含まれている請求項１９記載の非一時的コンピュータ読取可能媒体。
【請求項２２】
前記特有のＭＡＣアドレスは、前記メッセージの媒体アクセス制御ヘッダの、発信元アドレスフィールドと宛先アドレスフィールドとのうちの少なくとも１つの中に含まれている請求項１９記載の非一時的コンピュータ読取可能媒体。
【請求項２３】
前記特有のＭＡＣアドレスは、マルチキャストＭＡＣアドレス、または、ローカルに管理されるＭＡＣアドレス、のうちの１つである請求項１９記載の非一時的コンピュータ読取可能媒体。
【請求項２４】
前記メッセージ中の前記特有のＭＡＣアドレスを識別することは、前記複数のワイヤレスデバイスのうちの第１のサブセットに対して、前記メッセージの物理レイヤヘッダのサービスフィールド中に追加の情報が位置付けられていることをさらに知らせる請求項１９記載の非一時的コンピュータ読取可能媒体。
【請求項２５】
前記媒体は、実行されるとき、前記装置に、前記複数のワイヤレスデバイスのうちの少なくとも前記第１のサブセットに対して、少なくとも１つの管理フレームを送信させるコードをさらに含み、
前記管理フレームは、前記特有のＭＡＣアドレスと、前記特有のＭＡＣアドレスに関係付けられている１つ以上の命令とを含む請求項１９記載の非一時的コンピュータ読取可能媒体。
【請求項２６】
前記特有のＭＡＣアドレスは、前記複数のワイヤレスデバイスのうちの第１のサブセットによって、前記特有のＭＡＣアドレスに関係付けられているワイヤレス通信アクセススキームの使用を命令するものとしてさらに識別可能である請求項１９記載の非一時的コンピュータ読取可能媒体。
【請求項２７】
前記ワイヤレス通信アクセススキームは、前記複数のワイヤレスデバイスのうちの第２のサブセットによって利用されるバックオフスロットの長さよりも大きい長さを有するバックオフスロットを利用する請求項２６記載の非一時的コンピュータ読取可能媒体。
【請求項２８】
ワイヤレス通信のための装置において、
特有の媒体アクセス制御（ＭＡＣ）アドレスを含む送信可メッセージを発生させ、前記特有のＭＡＣアドレスは、複数のワイヤレスデバイスのうちの第１のサブセットによって、関係付けられているネットワーク割り振りベクトルの、前記メッセージ中の持続時間フィールドにしたがった更新をしないように命令するものとして識別可能である手段と、
前記メッセージを送信し、それにより、前記複数のワイヤレスデバイスのうちの第１のサブセットに対するワイヤレス通信アクセスを予約する手段とを具備し、
前記特有のＭＡＣアドレスは、前記複数のワイヤレスデバイスのうちの第２のサブセットによって識別可能でなく、前記第２のサブセットは、関係付けられているネットワーク割り振りベクトルの、前記持続時間フィールドにしたがった更新をするように命令される装置。
【請求項２９】
前記メッセージの物理レイヤヘッダのサービスフィールド中に追加の情報を含める手段をさらに具備する請求項２８記載の装置。
【請求項３０】
前記複数のワイヤレスデバイスのうちの少なくとも前記第１のサブセットに対して、少なくとも１つの管理フレームを送信する手段をさらに具備し、
前記管理フレームは、前記特有のＭＡＣアドレスと、前記特有のＭＡＣアドレスに関係付けられている１つ以上の命令とを含む請求項２８記載の装置。
【発明の詳細な説明】
【分野】
【０００１】
［０００１］
本開示のある態様は、一般的にワイヤレス通信に関連し、より具体的には、ワイヤレスネットワーク中で通信を選択的にブロックするための方法および装置に関連する。
【背景】
【０００２】
［０００２］
多くの電気通信システムにおいて、通信ネットワークを使用して、空間的に離れているいくつかの対話するデバイス間でメッセージが交換される。ネットワークは地理的範囲にしたがって分類することができ、地理的範囲は、例えば、メトロポリタンエリア、ローカルエリア、またはパーソナルエリアである。このようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として表されるかもしれない。ネットワークは、さまざまなネットワークノードおよびデバイスを相互接続するために使用されるスイッチング／ルーティング技術（例えば、回線交換対パケット交換）にしたがって、送信に対して用いられる物理媒体のタイプ（例えば、ワイヤード対ワイヤレス）にしたがって、使用される通信プロトコルのセット（例えば、インターネットプロトコルスーツ、ＳＯＮＥＴ（同期光ネットワーキング）、イーサネット（登録商標）等）にしたがっても異なる。
【０００３】
［０００３］
ネットワークエレメントが移動体であり、したがって、動的接続性の必要性を有するときに、または、ネットワークアーキテクチャが固定のトポロジーよりむしろアドホックのトポロジーで形成される場合に、ワイヤレスネットワークが好まれることが多い。ワイヤレスネットワークは、無線、マイクロ波、赤外線、光等の周波数帯域における電磁波を使用する、無誘導伝播モードにおける無形の物理媒体を用いる。ワイヤレスネットワークは、固定のワイヤードネットワークと比較されるとき、ユーザ移動性および迅速なフィールド配備を有利に促進する。
【０００４】
［０００４］
ワイヤレスネットワーク中のデバイスは、互いの間で情報を送信／受信するかもしれない。デバイスは、異なるデータレートで通信するかもしれない。多くのデバイスが通信ネットワークを共有し、デバイスの通信レート間に大きな差がある場合に、結果として、ネットワーク輻輳および非効率なリンク使用になるかもしれない。したがって、高効率ワイヤレスネットワーク中での通信効率を向上させるためのシステム、方法、および非一時的コンピュータ読取可能媒体が必要とされる。
【概要】
【０００５】
［０００５］
添付した特許請求の範囲内のシステム、方法、およびデバイスのさまざまなインプリメンテーションは各々、いくつかの態様を有しており、これらのうちの単一のもののみが、ここで説明する望ましい属性に関与しているわけではない。添付した特許請求の範囲を限定することなく、いくつかの顕著な特徴をここで説明する。
【０００６】
［０００６］
本明細書中で説明する主題事項の１つ以上のインプリメンテーションの詳細を、付随する図面および以下の説明において明らかにする。他の特徴、態様、および利点が、説明、図面、および特許請求の範囲から明白となるだろう。以下の図面の相対的な大きさは、スケーリングされて描かれているものではないことに留意されたい。
【０００７】
［０００７］
本開示の１つの態様は、ワイヤレス通信の方法を提供している。方法は、特有の媒体アクセス制御（ＭＡＣ）アドレスを含む送信可メッセージを発生させることを含んでおり、特有のＭＡＣアドレスは、複数のワイヤレスデバイスのうちの第１のサブセットによって、関係付けられているネットワーク割り振りベクトルの、メッセージ中の持続時間フィールドにしたがった更新をしないように命令するものとして識別可能である。特有のＭＡＣアドレスは、複数のワイヤレスデバイスのうちの第２のサブセットによって識別可能でなく、第２のサブセットは、関係付けられているネットワーク割り振りベクトルの、持続時間フィールドにしたがった更新をするように命令される。方法は、メッセージを送信し、それにより、複数のワイヤレスデバイスのうちの第１のサブセットに対するワイヤレス通信アクセスを予約することをさらに含んでいる。
【０００８】
［０００８］
本開示の別の態様は、ワイヤレス通信のための装置を提供している。装置は、特有の媒体アクセス制御（ＭＡＣ）アドレスを含む送信可メッセージを発生させるように構成されているプロセッサを具備しており、特有のＭＡＣアドレスは、複数のワイヤレスデバイスのうちの第１のサブセットによって、関係付けられているネットワーク割り振りベクトルの、メッセージ中の持続時間フィールドにしたがった更新をしないように命令するものとして識別可能である。特有のＭＡＣアドレスは、複数のワイヤレスデバイスのうちの第２のサブセットによって識別可能でなく、第２のサブセットは、関係付けられているネットワーク割り振りベクトルの、持続時間フィールドにしたがった更新をするように命令される。装置は、メッセージを送信し、それにより、複数のワイヤレスデバイスのうちの第１のサブセットに対するワイヤレス通信アクセスを予約するように構成されている送信機をさらに具備している。
【０００９】
［０００９］
本開示の別の態様は、コードを含む非一時的コンピュータ読取可能媒体を提供している。コードは、実行されるとき、装置に、特有の媒体アクセス制御（ＭＡＣ）アドレスを含む送信可メッセージを発生させ、特有のＭＡＣアドレスは、複数のワイヤレスデバイスのうちの第１のサブセットによって、関係付けられているネットワーク割り振りベクトルの、メッセージ中の持続時間フィールドにしたがった更新をしないように命令するものとして識別可能である。特有のＭＡＣアドレスは、複数のワイヤレスデバイスのうちの第２のサブセットによって識別可能でなく、第２のサブセットは、関係付けられているネットワーク割り振りベクトルの、持続時間フィールドにしたがった更新をするように命令される。コードは、実行されるとき、装置にさらに、メッセージを送信させ、それにより、複数のワイヤレスデバイスのうちの第１のサブセットに対するワイヤレス通信アクセスを予約させる。
【００１０】
［００１０］
本開示の別の態様は、ワイヤレス通信のための装置を提供している。装置は、特有の媒体アクセス制御（ＭＡＣ）アドレスを含む送信可メッセージを発生させる手段を具備しており、特有のＭＡＣアドレスは、複数のワイヤレスデバイスのうちの第１のサブセットによって、関係付けられているネットワーク割り振りベクトルの、メッセージ中の持続時間フィールドにしたがった更新をしないように命令するものとして識別可能である。特有のＭＡＣアドレスは、複数のワイヤレスデバイスのうちの第２のサブセットによって識別可能でなく、第２のサブセットは、関係付けられているネットワーク割り振りベクトルの、持続時間フィールドにしたがった更新をするように命令される。装置は、メッセージを送信し、それにより、複数のワイヤレスデバイスのうちの第１のサブセットに対するワイヤレス通信アクセスを予約する手段をさらに具備している。
【図面の簡単な説明】
【００１１】
【図１】［００１１］  図１は、本開示の態様を用いることができるワイヤレス通信システムの例を図示している。
【図２】［００１２］  図２は、図１のワイヤレス通信システム内で用いることができるワイヤレスデバイス中で利用できる、さまざまなコンポーネントを図示している。
【図３】［００１３］  図３は、送信可（ＣＴＳ）フレームの例を図示している。
【図４】［００１４］  図４は、ＭＡＣヘッダフレームの例を図示している。
【図５】［００１５］  図５は、１つ以上のフィールドに追加された情報を示すＣＴＳフレームの例を図示している。
【図６】［００１６］  図６は、送信要求（ＲＴＳ）フレームの例を図示している。
【図７】［００１７］  図７は、ワイヤレス通信を提供するための例示的な方法の態様のフローチャートである。
【詳細な説明】
【００１２】
［００１８］
新規なシステム、装置、および方法のさまざまな態様を、付随する図面を参照して以後でより完全に説明する。しかしながら、教示の開示は、多くの異なる形態で具現化してもよく、本開示全体を通して提示する何らかの特有の構造または機能に限定されるものとして解釈すべきではない。むしろ、本開示が、徹底的および完全になり、本開示の範囲を当業者に完全に伝えるように、これらの態様を提供している。本開示の範囲が、ここで開示する新規なシステム、装置、および方法の任意の態様を、本発明の他の何らかの態様から独立して実現するかまたは本発明の他の何らかの態様と組み合わせて実現するかにかかわらずカバーするように意図していることを、ここでの教示に基づいて当業者は認識すべきである。例えば、ここで明らかにする任意の数の態様を使用して装置を実現してもよく、または方法を実施してもよい。さらに、本発明の範囲が、ここで明らかにする本発明のさまざまな態様に加えて、または、ここで明らかにする本発明のさまざまな態様以外の、他の構造、機能性、または構造および機能性を使用して実施されるような、装置または方法をカバーするように意図している。ここで開示する任意の態様は、請求項のうちの１つ以上のエレメントによって具現化してもよいことを理解すべきである。
【００１３】
［００１９］
特定の態様をここで説明するが、これらの態様の多くのバリエーションおよび並べ替えが本開示の範囲内に入る。好ましい態様のいくつかの利益および利点に言及するが、本開示の範囲が、特定の利益、使用、または目的に限定されるようには意図していない。むしろ、本開示の態様が、異なるワイヤレステクノロジー、システムコンフィギュレーション、ネットワーク、および送信プロトコルに広く適用可能であるように意図しており、それらのうちのいくつかを、図面中で、および、好ましい態様の以下の説明中で例として示している。詳細な説明および図面は、限定よりむしろ、本開示の例示に過ぎず、本開示の範囲は、添付した特許請求の範囲およびそれらの均等物によって規定される。
【００１４】
［００２０］
ワイヤレスネットワークテクノロジーは、さまざまなタイプのワイヤレスローカルエリアネットワーク（ＷＬＡＮ）を含んでいる。広く使用されるネットワーキングプロトコルを用いて、ＷＬＡＮは、近くのデバイスを互いに相互接続するために使用される。ここで説明するさまざまな態様は、Ｗｉ−Ｆｉまたは、より一般的には、ワイヤレスプロトコルのＩＥＥＥ８０２．１１ファミリの任意のメンバのような、任意の通信標準規格に適用してもよい。
【００１５】
［００２１］
いくつかの態様において、直交周波数分割多重（ＯＦＤＭ）通信、直接シーケンススペクトル拡散（ＤＳＳＳ）通信、ＯＦＤＭ通信とＤＳＳＳ通信との組み合わせ、または他のスキームを使用する、高効率８０２．１１プロトコルにしたがって、ワイヤレス信号を送信することができる。高効率８０２．１１プロトコルのインプリメンテーションは、インターネットアクセス、センサ、メータリング、スマートグリッドネットワーク、または他のワイヤレスアプリケーションに対して使用してもよい。有利なことに、この特定のワイヤレスプロトコルを実現するあるデバイスの態様は、他のワイヤレスプロトコルを実現するデバイスよりも低い電力を消費するかもしれず、短距離に渡ってワイヤレス信号を送信するために使用してもよく、および／または、人間のような物体によってブロックされにくい信号を送信することができるかもしれない。
【００１６】
［００２２］
いくつかのインプリメンテーションにおいて、ＷＬＡＮは、ワイヤレスネットワークにアクセスするコンポーネントであるさまざまなデバイスを含んでいる。例えば、２つのタイプのデバイス、アクセスポイント（「ＡＰ」）とクライアント（局、すなわち「ＳＴＡ」としても呼ばれる）とが存在するかもしれない。一般的に、ＡＰはＷＬＡＮに対するハブまたは基地局としてサービスを提供し、ＳＴＡはＷＬＡＮのユーザとしてサービスを提供する。例えば、ＳＴＡはラップトップコンピュータ、パーソナルデジタルアシスタント（ＰＤＡ）、移動体電話機等である。例において、ＳＴＡは、Ｗｉ−Ｆｉ（登録商標）（例えば、８０２．１１ａｈのようなＩＥＥＥ８０２．１１プロトコル）準拠ワイヤレスリンクを介してＡＰに接続して、インターネットへのまたは他のワイドエリアネットワークへの一般的な接続性を取得する。いくつかのインプリメンテーションでは、ＳＴＡはＡＰとしても使用される。
【００１７】
［００２３］
ここで説明する技術は、直交多重化スキームに基づいている通信システムを含む、さまざまな広帯域ワイヤレス通信システムに対して使用してもよい。このような通信システムの例には、空間分割多元接続（ＳＤＭＡ）システム、時分割多元接続（ＴＤＭＡ）システム、直交周波数分割多元接続（ＯＦＤＭＡ）システム、単一搬送波周波数分割多元接続（ＳＣ−ＦＤＭＡ）システム等が含まれる。ＳＤＭＡシステムは、十分に異なる方向を利用して、複数のユーザ端末に属するデータを同時に送信することができる。ＴＤＭＡシステムは、各タイムスロットが異なるユーザ端末に割り当てられている異なるタイムスロットに送信信号を分割することによって、同一の周波数チャネルを複数のユーザ端末が共有することを可能にする。ＴＤＭＡシステムは、ＧＳＭ（登録商標）または技術的に知られている他の何らかの標準規格を実現する。ＯＦＤＭＡシステムは、システム帯域幅全体を複数の直交副搬送波に区分する変調技術である直交周波数分割多重化（ＯＦＤＭ）を利用する。これらの副搬送波は、トーン、ビン等と呼ばれることもある。ＯＦＤＭにより、各副搬送波をデータにより独立して変調することができる。ＯＦＤＭシステムは、ＩＥＥＥ８０２．１１または技術的に知られている他の何らかの標準規格を実現することができる。ＳＣ−ＦＤＭＡシステムは、システム帯域幅に渡って分散されている副搬送波上で送信するインターリーブＦＤＭＡ（ＩＦＤＭＡ）を利用してもよく、隣接する副搬送波のブロック上で送信するローカライズＦＤＭＡ（ＬＦＤＭＡ）を利用してもよく、または、隣接する副搬送波の複数のブロック上で送信するエンハンスＦＤＭＡ（ＥＦＤＭＡ）を利用してもよい。一般的に、変調シンボルは、ＯＦＤＭにより周波数ドメインで送られ、ＳＣ−ＦＤＭＡにより時間ドメインで送られる。ＳＣ−ＦＤＭＡシステムは、３ＧＰＰ（登録商標）−ＬＴＥ（登録商標）（第３世代パートナーシッププロジェクトロングタームエボリューション）または他の標準規格を実現することができる。
【００１８】
［００２４］
ここでの教示は、さまざまなワイヤードまたはワイヤレスの装置（例えば、ノード）に組み込んでもよい（例えば、さまざまなワイヤードまたはワイヤレスの装置内で実現してもよく、または、さまざまなワイヤードまたはワイヤレスの装置によって実行してもよい）。いくつかの態様では、ここでの教示にしたがって実現されるワイヤレスノードは、アクセスポイントまたはアクセス端末を構成する。
【００１９】
［００２５］
アクセスポイント（「ＡＰ」）は、ノードＢ、無線ネットワーク制御装置（「ＲＮＣ」）、ｅノードＢ、基地局制御装置（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または他の何らかの専門用語を含んでいてもよく、これらのものとして実現してもよく、あるいは、これらのものとして知られているかもしれない。
【００２０】
［００２６］
局（「ＳＴＡ」）はまた、ユーザ端末、アクセス端末（「ＡＴ」）、加入者局、加入者ユニット、移動局、遠隔局、遠隔端末、ユーザエージェント、ユーザデバイス、ユーザ機器、または他の何らかの専門用語を含んでいてもよく、これらのものとして実現してもよく、あるいは、これらのものとして知られているかもしれない。いくつかのインプリメンテーションにおいて、アクセス端末は、セルラ電話機、コードレス電話機、セッション開始プロトコル（「ＳＩＰ」）電話機、ワイヤレスローカルループ（「ＷＬＬ」）局、パーソナルデジタルアシスタント（「ＰＤＡ」）、ワイヤレス接続能力を有するハンドヘルドデバイス、または、ワイヤレスモデムに接続される他の何らかの適切な処理デバイスを含んでいる。したがって、ここで教示する１つ以上の態様を、電話機（例えば、セルラ電話機またはスマートフォン）に、コンピュータ（例えば、ラップトップ）に、ポータブル通信デバイスに、ヘッドセットに、ポータブルコンピューティングデバイス（例えば、パーソナルデータアシスタント）に、エンターテインメントデバイス（例えば、音楽デバイスもしくはビデオデバイス、または衛星ラジオ）に、ゲームデバイスまたはシステムに、グローバルポジショニングシステムデバイスに、あるいは、ワイヤレス媒体を介して通信するように構成されている他の何らかの適切なデバイスに組み込んでもよい。
【００２１】
［００２７］
上記で説明したように、ここで説明するデバイスのうちのあるものは、例えば、８０２．１１ａｈ標準規格を実現する。このようなデバイスは、ＳＴＡまたはＡＰまたは他のデバイスとして使用されるかにかかわらず、スマートメータリングに対して、またはスマートグリッドネットワーク中で使用することができる。このようなデバイスは、センサアプリケーションを提供することができ、またはホームオートメーションにおいて使用することができる。デバイスは、代わりにまたは加えて、ヘルスケアの状況で、例えば、パーソナルヘルスケアのために使用することができる。デバイスは、監視のために使用することもでき、（例えば、ホットスポットによる使用に対する）拡張された範囲のインターネット接続性を可能にする、または、機械対機械通信を実現する。
【００２２】
［００２８］
図１は、本開示の態様を用いることができるワイヤレス通信システム１００の例を図示している。ワイヤレス通信システム１００は、ワイヤレス標準規格、例えば、８０２．１１ａｈ、８０２．１１ａｃ、８０２．１１ｎ、８０２．１１ｇ、および８０２．１１ｂ標準規格のうちの少なくとも１つに準拠して動作するかもしれない。ワイヤレス通信システム１００は、ＳＴＡ１０６ａ、１０６ｂ、１０６ｃ、および／または１０６ｄ（集合的に、ＳＴＡ１０６、または、ＳＴＡ１０６ａ〜１０６ｄと呼ばれる）のうちの１つ以上と通信するＡＰ１０４を含んでいる。
【００２３】
［００２９］
ワイヤレス通信システム１００中でのＡＰ１０４とＳＴＡ１０６との間の送信のために、さまざまなプロセスおよび方法を使用してもよい。例えば、ＯＦＤＭ／ＯＦＤＭＡ技術にしたがって、ＡＰ１０４とＳＴＡ１０６との間で信号を送信および受信してもよい。このケースの場合、ワイヤレス通信システム１００はＯＦＤＭ／ＯＦＤＭＡシステムと呼ばれるかもしれない。代替的に、ＣＤＭＡ技術にしたがって、ＡＰ１０４とＳＴＡ１０６との間で信号を送信および受信してもよい。このケースの場合、ワイヤレス通信システム１００はＣＤＭＡシステムと呼ばれるかもしれない。
【００２４】
［００３０］
ＡＰ１０４からＳＴＡ１０６のうちの１つ以上への送信を促進する通信リンクはダウンリンク（ＤＬ）１０８と呼ばれ、ＳＴＡ１０６のうちの１つ以上からＡＰ１０４への送信を促進する通信リンクはアップリンク（ＵＬ）１１０と呼ばれる。代替的に、ダウンリンク１０８はフォワードリンクまたはフォワードチャネルと呼ばれ、アップリンク１１０はリバースリンクまたはリバースチャネルと呼ばれることもある。
【００２５】
［００３１］
ＡＰ１０４は、基本サービスエリア（ＢＳＡ）１０２中のワイヤレス通信カバレッジを提供することができる。ＡＰ１０４とともに、ＡＰ１０４に関係付けられ、通信のためにＡＰ１０４を使用するＳＴＡ１０６は、基本サービスセット（ＢＳＳ）と呼ばれることがある。ワイヤレス通信システム１００は、中央ＡＰ１０４を有していなくてもよく、むしろＳＴＡ１０６間のピアツーピアネットワークとして機能してもよいことに留意すべきである。したがって、ここで説明するＡＰ１０４の機能は、代替的にＳＴＡ１０６のうちの１つ以上によって実行してもよい。
【００２６】
［００３２］
図２は、ワイヤレス通信システム１００内で用いることができるワイヤレスデバイス２０２中で利用できる、さまざまなコンポーネントを図示している。ワイヤレスデバイス２０２は、ここで説明するさまざまな方法を実現するように構成されているデバイスの例である。例えば、ワイヤレスデバイス２０２は、ＡＰ１０４、または、ＳＴＡ１０６のうちの１つを構成する。
【００２７】
［００３３］
ワイヤレスデバイス２０２は、ワイヤレスデバイス２０２の動作を制御するプロセッサ２０４を備えている。プロセッサ２０４は、中央処理ユニット（ＣＰＵ）と呼ばれることもある。メモリ２０６は、リードオンリーメモリ（ＲＯＭ）とランダムアクセスメモリ（ＲＡＭ）の両方を含んでおり、命令およびデータをプロセッサ２０４に提供する。メモリ２０６の一部分は、不揮発性ランダムアクセスメモリ（ＮＶＲＡＭ）も含んでいるかもしれない。プロセッサ２０４は典型的に、メモリ２０６内に記憶されているプログラム命令に基づいて、論理動作および演算動作を実行する。メモリ２０６中の命令は、ここで説明する方法を実現するように実行可能であるかもしれない。例えば、プロセッサ２０４は、図３〜６に関連して以下で説明するように、複数のタイプのフレームのうちのいずれかを発生させ、特有のＭＡＣアドレスをフレームの１つ以上のアドレスフィールド中に含めるように構成されており、特有のＭＡＣアドレスは、複数のワイヤレスデバイスのうちの第１のサブセットによって識別可能であり、複数のワイヤレスデバイスのうちの第２のサブセットによって識別可能でない。プロセッサ２０４は、特有のＭＡＣアドレスを示すものとして、特有のＭＡＣアドレスを識別するものとして、特有のＭＡＣアドレスに対応するものとして、または特有のＭＡＣアドレスに関係付けられているものとして、ターゲット受信ワイヤレスデバイスによって処理および識別されるビットを含めるように、特有のＭＡＣアドレスが位置づけられているアドレスフィールドを発生させることによって、特有のＭＡＣアドレスを含めることができる。
【００２８】
［００３４］
プロセッサ２０４は、１つ以上のプロセッサにより実現される処理システムのコンポーネントを含んでいてもよく、または、１つ以上のプロセッサにより実現される処理システムのコンポーネントであってもよい。１つ以上のプロセッサは、汎用マイクロプロセッサ、マイクロ制御装置、デジタル信号プロセッサ（ＤＳＰ）、フィールドプログラム可能ゲートアレイ（ＦＰＧＡ）、プログラム可能論理デバイス（ＰＬＤ）、制御装置、状態機械、ゲート論理、ディスクリートハードウェアコンポーネント、専用ハードウェア有限状態機械、あるいは、情報の計算または他の操作を実行できる他の何らかの適切なエンティティ、の任意の組み合わせにより実現してもよい。
【００２９】
［００３５］
処理システムは、ソフトウェアを記憶するための機械読取可能媒体も含んでいてもよい。ソフトウェアは、ソフトウェア、ファームウェア、ミドルウェア、マイクロコード、ハードウェア記述言語、またはその他のもので呼ばれるかにかかわらず、何らかのタイプの命令を意味するように広く解釈されよう。命令は、（例えば、ソースコードフォーマット、バイナリコードフォーマット、実行可能コードフォーマット、または他の何らかの適切なコードのフォーマットの）コードを含んでいる。命令は、１つ以上のプロセッサによって実行されるとき、処理システムに、ここで説明するさまざまな機能を実行させる。
【００３０】
［００３６］
ワイヤレスデバイス２０２は、ハウジング２０８も備えており、ハウジング２０８は、ワイヤレスデバイス２０２と遠隔ロケーションとの間のデータの送信および受信を可能にする送信機２１０および受信機２１２を備えている。送信機２１０と受信機２１２は、トランシーバ２１４に組み合わされていてもよい。アンテナ２１６は、ハウジング２０８に取り付けられ、トランシーバ２１４に電気的に結合されている。ワイヤレスデバイス２０２は、例えば、ＭＩＭＯ通信の間に利用される（示していない）複数の送信機、複数の受信機、複数のトランシーバ、および／または複数のアンテナも備えていてもよい。
【００３１】
［００３７］
ワイヤレスデバイス２０２は、信号検出器２１８も備えており、信号検出器２１８は、トランシーバ２１４によって受信される信号のレベルを検出して定量化するために使用することができる。信号検出器２１８は、総エネルギー、副搬送波毎のシンボル当たりのエネルギー、電力スペクトル密度、および他の信号のような、信号を検出する。ワイヤレスデバイス２０２は、信号を処理する際に使用するためのデジタル信号プロセッサ（ＤＳＰ）２２０も備えている。ＤＳＰ２２０は、送信に対するデータユニットを発生させるように構成されているかもしれない。いくつかの態様において、データユニットは、物理レイヤデータユニット（ＰＰＤＵ）を含んでいる。いくつかの態様において、ＰＰＤＵはパケットと呼ばれる。
【００３２】
［００３８］
いくつかの態様において、ワイヤレスデバイス２０２は、ユーザインターフェース２２２をさらに備えている。ユーザインターフェース２２２は、キーパッド、マイクロフォン、スピーカー、および／またはディスプレイを含んでいる。ユーザインターフェース２２２は、ワイヤレスデバイス２０２のユーザに情報を伝える、および／または、ユーザからの入力を受け取る、何らかのエレメントまたはコンポーネントを含んでいる。
【００３３】
［００３９］
ワイヤレスデバイス２０２のさまざまなコンポーネントは、バスシステム２２６によって互いに結合されている。バスシステム２２６は、データバスとともに、データバスに加えて、例えば、電力バス、制御信号バス、およびステータス信号バスを含んでいてもよい。ワイヤレスデバイス２０２のコンポーネントが、他の何らかのメカニズムを使用して、互いに結合されていてもよく、あるいは、互いに入力を受け取るまたは提供してもよいことを、当業者は認識するだろう。
【００３４】
［００４０］
図２中に多数の別々のコンポーネントを図示しているが、コンポーネントの１つ以上を、組み合わせても、または普通に実現してもよいことを当業者は認識するだろう。例えば、プロセッサ２０４は、プロセッサ２０４に関して上記で説明した機能性を実現するためだけでなく、信号検出器２１８および／またはＤＳＰ２２０に関して上記で説明した機能性を実現するためにも使用してもよい。さらに、図２中に図示しているコンポーネントの各々を、複数の別々のエレメントを使用して実現してもよい。
【００３５】
［００４１］
上記で説明したように、ワイヤレスデバイス２０２は、ＡＰ１０４またはＳＴＡ１０６を構成してもよく、通信を送信および／または受信するために使用することができる。ワイヤレスネットワーク中のデバイス間で交換される通信は、パケットまたはフレームを含めることができるデータユニットを含んでいるかもしれない。いくつかの態様において、データユニットは、データフレーム、制御フレーム、および／または管理フレームを含んでいる。データフレームは、ＡＰおよび／またはＳＴＡから他のＡＰおよび／またはＳＴＡにデータを送信するために使用することができる。制御フレームは、さまざまな動作を実行するために、および、確実にデータを配信（例えば、データの受信の肯定応答、ＡＰのポーリング、エリアクリアリング動作、チャネル獲得、搬送波感知管理機能等）するために、データフレームとともに使用することができる。管理フレームは、さまざまな管理機能のため（例えば、ワイヤレスネットワークに加わるため、および、ワイヤレスネットワークから離脱するため等）に使用することができる。
【００３６】
［００４２］
本開示のある態様は、ＡＰ１０４がＳＴＡ１０６送信を、効率を向上させるために最適化された方法でスケジューリングできるようにすることをサポートしている。高効率ワイヤレス（ＨＥＷ）局と、８０２．１１高効率プロトコルを利用する局と、より古いまたはレガシー８０２．１１プロコルを使用する局のどれもが、ワイヤレス媒体へのアクセスに対して競合するかもしれない。ここで説明する高効率８０２．１１プロトコルにより、８０２．１１フレーム中に含まれている特有のＭＡＣアドレスを識別し、８０２．１１フレーム中の関係付けられている持続時間フィールドを選択的に無視できるＨＥＷデバイスと、それをできないレガシーデバイスとの間を区分する、改良されたメカニズムの下で、デバイスが動作できるようになる。例えば、図１に関して、ＳＴＡ１０６ａと１０６ｂがレガシーＳＴＡである一方で、ＳＴＡ１０６ｃと１０６ｄはＨＥＷ  ＳＴＡである。この実施形態において、ＨＥＷ  ＳＴＡ１０６ｃおよび１０６ｄが、レガシーＳＴＡ１０６ａおよび１０６ｂからの干渉なしでＡＰ１０４と通信できるように、レガシーＳＴＡ１０６ａおよび１０６ｂを沈黙させることが望ましい。１つのこのようなインプリメンテーションは、アドレスフィールド中に含まれる特有のＭＡＣアドレスを含んでいる送信可（ＣＴＳ）フレームを利用する。ＨＥＷ  ＳＴＡは、以下で説明する１つ以上のインプリメンテーションにしたがって動作するようにＨＥＷ  ＳＴＡに命令するものとして、特有のＭＡＣアドレスを識別できるかもしれない。このようなインプリメンテーションでは、図１に関して、ＳＴＡ１０６ａおよび１０６ｂはレガシーＩＥＥＥ８０２．１１標準規格（すなわち、ＩＥＥＥ８０２．１１ｂ）にしたがったモードで動作しており、ＳＴＡ１０６ｃおよび１０６ｄはＩＥＥＥ８０２．１１高効率プロトコルにしたがったモードで動作しているかもしれない。したがって、いくつかのインプリメンテーションでは、ＳＴＡ１０６ｃおよび１０６ｄ（例えば、ＨＥＷ  ＳＴＡ）は、ＳＴＡ１０６ａおよび１０６ｂ（例えば、レガシーＳＴＡ）と比較して異なるワイヤレス通信アクセススキームまたは異なるセットのチャネルアクセスルールを使用して、ワイヤレス通信アクセスに対する特別な競合期間に入るように構成されている。例えば、いくつかのインプリメンテーションでは、ＨＥＷ  ＳＴＡ１０６ｃおよび１０６ｄは、レガシーＳＴＡ１０６ａおよび１０６ｂによって利用される従来のバックオフスロットの長さよりも大きい長さを有するバックオフスロットを利用するように構成されている。
【００３７】
［００４３］
特有のＭＡＣアドレスは、それが物理デバイスよりむしろプロトコル機能に関係付けられているという特徴を有しているかもしれない。特有のＭＡＣアドレスに関係付けられているこのようなプロトコル機能または意味は、標準規格本体によって規定されるかもしれない。したがって、特有のＭＡＣアドレスは、物理デバイスに割り当てられないが、標準規格本体によって規定される標準規格における使用のために予約され、レガシーデバイスに対して通常のフレームのように見えるフレームに対して、特有の意味を示す。特有のＭＡＣアドレスは、個々のＭＡＣアドレスであっても、またはグループのＭＡＣアドレスであってもよい。特有のＭＡＣアドレスが個々のＭＡＣアドレスであるときは、個々のＭＡＣアドレスが単一の機関（電気電子技術者協会スタンダードアソシエーション（ＩＥＥＥ−ＳＡ））によって管理されていることから、それが一意的であることが保証される。特有のＭＡＣドレスがグループのＭＡＣアドレスであるときは、グループＭＡＣアドレスが単一の機関によって管理されてはいないことから、それが一意的であるとは保証されないかもしれないが、グループＭＡＣアドレスは任意のデバイスによって自由に使用される。代替実施形態において、特有のＭＡＣアドレスを含むフレームを送信するワイヤレスデバイスは、関係付けられているワイヤレスデバイスに、管理フレームの交換中に、または、ビーコンフレームを介して、特有の意味と特有のＭＡＣアドレスとを事前に通信することによって、特有の意味を特有のＭＡＣアドレスに割り当てる。さらに、いくつかのインプリメンテーションは異なる特有のＭＡＣアドレスを企図し、異なるワイヤレス通信アクセススキームのうちの対応する１つに各々が割り当てられる。この方法で、特有のＭＡＣアドレスを利用して、例えば、ＨＥＷ  ＳＴＡに対して特別な競合期間の開始の境界を定めることができる。
【００３８】
［００４４］
図３は、送信可（ＣＴＳ）フレームの例を図示している。ＣＴＳフレーム３００をデバイスによって送信して、通信に対するチャネルを予約することができる。ＣＴＳフレーム３００は、４つの異なるフィールド、フレーム制御（ＦＣ）フィールド３０２と、持続時間フィールド３０４と、受信機アドレス（ＲＡ）フィールド３０６（受信機アドレス（ａ１）とも呼ばれる）と、フレームチェックシーケンス（ＦＣＳ）フィールド３０８とを含んでいる。図３はさらに、フィールド３０２、３０４、３０６、および３０８の各々のオクテットにおけるサイズを、それぞれ２、２、６、および４として示している。ＲＡフィールド３０６は、デバイスの完全なＭＡＣアドレスを含んでおり、それは４８ビット（６オクテット）値である。ＣＴＳフレームに対して、ＲＡフィールド３０６中のＭＡＣアドレスは典型的に、ＣＴＳフレームがそれによって受信されるように意図されているデバイスに対応する。従来の動作の下では、ＣＴＳフレーム３００がアドレス指定されていない、ＣＴＳフレーム３００をデコードできるすべてのデバイスは、それらのネットワーク割り振りベクトル（ＮＡＶ）の、持続時間フィールド３０４中の値にしたがった更新をすることによって、持続時間フィールド３０４中に示される持続時間の間デバイス自体を沈黙させるだろう。
【００３９】
［００４５］
しかしながら、いくつかのインプリメンテーションにしたがうと、ＲＡフィールド３０６は、特有のＭＡＣアドレス３５０を含んでおり、ＨＥＷ  ＳＴＡ、例えば、図１中に示したＳＴＡ１０６ｃおよび１０６ｄは、ＨＥＷ  ＳＴＡに、それらのそれぞれのネットワーク割り振りベクトル（ＮＡＶ）の、持続時間フィールド３０４中の値にしたがった更新をしないように命令するものとして、特有のＭＡＣアドレスを識別するように特に構成されている。したがって、ＨＥＷ  ＳＴＡは、ＣＴＳフレーム３００を受信することによって沈黙されないだろう。しかしながら、レガシーＳＴＡ１０６ａおよび１０６ｂは、ＲＡフィールド３０６中の特有のＭＡＣアドレス３５０を識別するように構成されていないことから、レガシーＳＴＡは、ＣＴＳフレーム３００を受信することによって、持続時間フィールド３０４中の値にしたがった、それらのＮＡＶの更新をするように命令されるだろう。これは、ＲＡフィールド３０６中の特有のＭＡＣアドレス３５０が、レガシーＳＴＡの何らかに関係付けられているＭＡＣアドレスと一致しないからである。ＣＴＳフレーム３００の持続時間フィールドは、ＳＴＡ１０６ｃおよび１０６ｄが通信するために、総通信時間の予め定められた割合が予約されるように設定することができる。この方法で、ＨＥＷ  ＳＴＡによる通信のために、ワイヤレス通信アクセスを予約することができる。したがって、レガシーＳＴＡを沈黙させるようにレガシーＳＴＡに対するＮＡＶが設定されている時間の間、ＨＥＷ  ＳＴＡは、レガシーＳＴＡの動作を支配するものとは異なるワイヤレス通信アクセススキームまたは異なるセットのチャネルアクセスルールを使用して、ワイヤレス通信アクセスに対する特別な競合期間に入ることができる。
【００４０】
［００４６］
いくつかの態様では、ＡＰ１０４、または、ＳＴＡ１０６のうちの１つは、図４に関連して以下でより詳細に示す、特有のＭＡＣアドレスが、フレームのＭＡＣヘッダ内の他の１つ以上のアドレスフィールド中に位置付けられているフレームを送信する。図４は、ＭＡＣヘッダフレームの例を図示している。ＭＡＣヘッダフレーム４００をデバイスによって送信して、通信に対するチャネルを予約することができる。ＭＡＣヘッダフレーム４００は、８つのフィールド、フレーム制御（ＦＣ）フィールド４０２と、受信機アドレスＡ１フィールド４０４と、送信機アドレスＡ２フィールド４０６と、シーケンス制御フィールド４０８と、アドレスＡ３フィールド４１０と、アドレスＡ４フィールド４１２と、フレーム本体フィールド４１４と、フレームチェックシーケンス（ＦＣＳ）フィールド４１６とを含んでいる。図４はさらに、フィールド４０２、４０４、４０６、４０８、４１０、４１２、４１４、および４１６の各々のオクテットにおける潜在的なサイズを、それぞれ２、６、６、０または２、６、６、変数、および４として示している。受信機アドレスＡ１フィールド４０４は典型的に、フレーム４００に対する受信デバイスのＭＡＣアドレスを示すために利用される。送信機アドレスＡ２フィールド４０６は典型的に、フレーム４００の送信デバイスのＭＡＣアドレスを示すために利用される。アドレスＡ３フィールド４１０は典型的に、フレーム４００に対する発信元デバイスまたは宛先デバイスのＭＡＣアドレスを示すために利用される。アドレスＡ４フィールド４１２は典型的に、ブリッジリンク上の、フレーム４００の発信元デバイスまたは宛先デバイスのＭＡＣアドレスを示すために利用される。
【００４１】
［００４７］
図３に関連して上記で説明したインプリメンテーションと同様に、特有のＭＡＣアドレス４５０が、受信機アドレスＡ１フィールド４０４と、送信機アドレスＡ２フィールド４０６と、アドレスＡ３フィールド４１０と、アドレスＡ４フィールドとのうちのいずれかの中に含まれている。特有のＭＡＣアドレス４５０が、示しているフィールドのうちの１つ以上の中に含まれていてもよいことを単に示すために、複数の特有のＭＡＣアドレス４５０ブロックを点線で示している。先述したように、ＨＥＷ  ＳＴＡ、例えば、図１中に示したＳＴＡ１０６ｃおよび１０６ｄは、ＨＥＷ  ＳＴＡに、それらのそれぞれのネットワーク割り振りベクトル（ＮＡＶ）の、持続時間フィールド中の値にしたがった更新をしないように命令するものとして、上記で言及した受信機アドレスフィールドのいずれかの中の特有のＭＡＣアドレス４５０を識別するように特に構成されていてもよい。したがって、ＨＥＷ  ＳＴＡは沈黙されないだろう。しかしながら、レガシーＳＴＡ、例えば、ＳＴＡ１０６ａおよび１０６ｂは、特有のＭＡＣアドレス４５０を識別するように構成されていないことから、レガシーＳＴＡは、そうではなく、持続時間フィールド中の値にしたがった、それらのＮＡＶの更新をするように命令されるだろう。この方法で、ＨＥＷ  ＳＴＡによる通信のために、ワイヤレス通信アクセス媒体を予約することができる。
【００４２】
［００４８］
いくつかのインプリメンテーションにおいて、図５に関連して以下でより詳細に説明するように、特有のＭＡＣアドレスの存在をさらに利用して、特有のＭＡＣアドレスを正しく識別するように構成されているワイヤレスデバイスに、追加の情報がフレーム中に位置付けられていることを知らせることができる。ここで、特有のＭＡＣアドレスを正しく識別するように構成されているワイヤレスデバイスに知らせることは、受信したフレーム中で特有のＭＡＣアドレスを正しく識別した際に、ワイヤレスデバイスが、以下で説明するような特定のフィールド中の追加の情報を発見するために自動的にサーチすること、または、以下で説明するような特定のフィールドから追加の情報をパースすることを意味するかもしれない。図５は、１つ以上のフィールドに追加された情報を示すＣＴＳフレーム５００の例を図示している。例えば、ＣＴＳフレーム５００は、ＰＨＹヘッダ５０２と、サービスフィールド５０５と、ＣＴＳ  ＭＡＣサービスデータユニット（ＭＰＤＵ）５０６と、オプション的に、フィールド５０８とを含んでいる。１つのインプリメンテーションにおいて、ＣＴＳ  ＭＤＰＵ５０６の（図５中に特に示していない）アドレスフィールド中の特有のＭＡＣアドレス５５０の存在が、図１のＨＥＷ  ＳＴＡ１０６ｃおよび１０６ｄに、追加の情報がＣＴＳフレーム５００中に位置付けられていることを知らせる。例えば、追加の情報が、サービスフィールド５０５中に存在するかもしれない。さらに、または代替実施形態では、追加の情報が、ＣＴＳ  ＭＰＤＵ５０６の後のフィールド５０８中に、１つ以上のデータシンボルの形態で存在するかもしれない。
【００４３】
［００４９］
図６に関連して以下でより詳細に説明するように、特有のＭＡＣアドレス５５０は、ＣＴＳフレーム中でのその使用と同様に、送信要求（ＲＴＳ）フレーム中にさらに含まれていてもよい。図６は、送信要求（ＲＴＳ）フレームの例を図示している。ＲＴＳフレーム６００は、５つの異なるフィールド、フレーム制御（ＦＣ）フィールド６０２と、持続時間フィールド６０４と、受信機アドレス（ＲＡ）フィールド６０６（受信機アドレス（ａ１）とも呼ばれる）と、送信機アドレス（ＴＡ）フィールド６０８（アドレス（ａ２）とも呼ばれる）と、フレームチェックシーケンス（ＦＣＳ）フィールド６１０とを含んでいる。図６はさらに、フィールド６０２、６０４、６０６、６０８、および６１０の各々のオクテットにおけるサイズを、それぞれ２、２、６、６、および４として示している。ＲＡフィールド６０６とＴＡフィールド６０８の両方が、デバイスの完全なＭＡＣアドレスを含んでおり、それは４８ビット（６オクテット）値である。ＲＴＳフレームに対して、ＲＡフィールド６０６中のＭＡＣアドレスが典型的に、ＲＴＳフレーム６００を受信するデバイスに対応する一方で、ＴＡフィールド６０８は典型的に、ＲＴＳフレーム６００を送信するデバイスに対応する。いくつかのインプリメンテーションでは、特有のＭＡＣアドレス６５０も、ＴＡフィールド（ａ２フィールド）６０８中に含めることができる。このようなケースでは、ＲＴＳフレーム６００は、特有のＭＡＣアドレス６５０を有するデバイスによって送信されたように見える。ＲＡフィールド６０８は、受信ＳＴＡのユニキャストＭＡＣアドレスに対して設定してもよい。ＲＴＳ／ＣＴＳ交換において、ＣＴＳのＲＡ（ａ１）アドレスは、ＲＴＳフレーム６００のＴＡ（ａ２）アドレスからコピーされ、このことは、特有のＭＡＣアドレス６５０が、ＲＴＳフレーム６００のＴＡ（ａ２）フィールド６０８中に存在していたときに、ＣＴＳフレームにコピーされることを意味する。ＲＴＳフレーム６００のＴＡ（ａ２）フィールド６０８中の特有のＭＡＣアドレス６５０の存在が、ＨＥＷ  ＳＴＡ１０６ｃおよび１０６ｄに対してＲＴＳフレーム６００の特別な意味を示すことができる一方で、レガシーＳＴＡ１０６ａおよび１０６ｂは、ＲＴＳフレーム６００を普通のＲＴＳフレームとしてパースするだろう。したがって、ＲＴＳ／ＣＴＳ交換におけるＲＴＳとＣＴＳの両方は、特有のＭＡＣアドレス６５０がＲＴＳとＣＴＳの両方の中に存在していたことから、ＲＴＳおよび／またはＣＴＳを受信したＨＥＷ  ＳＴＡによって特別な意味にしたがって解釈される一方で、レガシーＳＴＡは特有のＭＡＣアドレス６５０を認識しないことから、レガシーＳＴＡは、受信したＲＴＳおよび／またはＣＴＳの持続時間フィールド中の値にしたがった、それらのＮＡＶの更新をするだろう。一般的なルールは、受信したフレーム中に存在するアドレスフィールドのいずれか１つの中に含まれている特有のＭＡＣアドレスを認識する受信機が、（標準規格によって、またはピアデバイスによって）特有のＭＡＣアドレスに対して特定されるルールにしたがって、フレームをパースするということである。
【００４４】
［００５０］
いくつかのインプリメンテーションにおいて、レガシー制御フレーム中に存在しない情報を運ぶ新たな制御フレームを規定することが望ましいかもしれないが、新たな制御フレームは依然として、レガシーワイヤレスデバイスによって、レガシー制御フレームが処理されるように処理される。１つのこのような解決法は、第１のＭＡＣアドレスと第２のＭＡＣアドレスの両方を特定のワイヤレスデバイスに関係付けることを含んでいる。第１のＭＡＣアドレスを含むフレームが特定のワイヤレスデバイスによって受信されるとき、特定のワイヤレスデバイスは、第１の標準規格、例えば、８０２．１１ｂ標準規格にしたがって、フレームを処理する。しかしながら、第２のＭＡＣアドレスを含むフレームが特定のワイヤレスデバイスによって受信されるとき、特定のワイヤレスデバイスは、第２の標準規格、例えば、８０２．１１ａｃにしたがって、フレームを処理する。このようなケースでは、第２のＭＡＣアドレスを含むフレームは、第１のＭＡＣアドレスを含むフレームとは異なってパースされるかもしれない。１つのインプリメンテーションにおいて、例えば、アドレス解決プロトコル（ＡＲＰ）を使用するためにアドレスが要求されるとき、第１のＭＡＣアドレスは、アドレス解決目的に対して提供されるアドレスであってもよい。このようなインプリメンテーションにおいて、第１のＭＡＣアドレスは、任意の送信における発信元アドレス（ＳＡ）として使用してもよい。別のインプリメンテーションでは、第１のＭＡＣアドレスをデータフレームに対して利用する一方で、第２のＭＡＣアドレスを制御フレームに対して利用してもよい。第２のＭＡＣアドレスは、例えば、管理フレーム内の情報エレメントとして、管理フレーム中で明示的に通信してもよい。
【００４５】
［００５１］
いくつかのインプリメンテーションでは、このような第２のＭＡＣアドレスは、第１のＭＡＣアドレスから、予め規定されたルールを通して導出される。例えば、第１のＭＡＣアドレスの個々／グループ（Ｉ／Ｇ）アドレスビットを１に設定することによって第２のＭＡＣアドレスは形成され、第２のＭＡＣアドレスは、第１のＭＡＣアドレスのグループＭＡＣアドレスバージョンである。別のインプリメンテーションでは、第１のＭＡＣアドレスのユニバーサルに／ローカルに（Ｕ／Ｌ）管理されるアドレスビットを１に設定することによって第２のＭＡＣアドレスは形成され、第２のＭＡＣアドレスは、第１のＭＡＣアドレスのローカルに管理されるバージョンである。さらに別のインプリメンテーションでは、第１のＭＡＣアドレスのＩ／ＧビットとＵ／Ｌビットの両方を１に設定することによって第２のＭＡＣアドレスは形成され、第２のＭＡＣアドレスは、第１のＭＡＣアドレスのローカルに管理されるグループＭＡＣアドレスバージョンである。さらに別のインプリメンテーションでは、第１のＭＡＣアドレスの最下位アドレスビットをフリップすることによって第２のＭＡＣアドレスは形成され、したがって、特定のワイヤレスデバイスが２つのグローバルに管理されるＭＡＣアドレスを有していることが示される。さらに別のインプリメンテーションでは、第１のＭＡＣアドレスの予め定められたビットをフリップすることによって第２のＭＡＣアドレスは形成される。例えば、第１のＭＡＣアドレスが常に、０に設定されている、最下位ビットまたは他の予め定められたアドレスビットを有しているという取り決めにより、第２のＭＡＣアドレスの最下位アドレスビットまたは他の何らかの予め定められたアドレスビットは１に設定されているかもしれない。代替的に、第１のＭＡＣアドレスが常に、１に設定されている、最下位ビットまたは他の予め定められたアドレスビットを有しているという取り決めにより、最下位アドレスビットまたは他の何らかの予め定められたアドレスビットを０に設定することによって第２のＭＡＣアドレスを形成してもよい。
【００４６】
［００５２］
図７は、ここで説明するある実施形態にしたがった、ワイヤレス通信のための例示的な方法７００のフローチャートである。図１中に示したＳＴＡ１０６ａ〜１０６ｄのうちの１つ以上に対して、ＡＰ１０４によってメッセージを送信してもよい。さらに、図２中に示したワイヤレスデバイス２０２は、上記で説明したように、ＡＰ１０４のより詳細なビューを表してもよい。したがって、１つのインプリメンテーションにおいて、フローチャート７００中のステップの１つ以上を、図２のプロセッサ２０４および送信機２１０のようなプロセッサおよび／または送信機によって実行してもよく、あるいは、図２のプロセッサ２０４および送信機２１０のようなプロセッサおよび／または送信機に関連して実行してもよいが、ここで説明するステップの１つ以上を実現するために他のコンポーネントを使用してもよいことを、当業者は認識するだろう。ある順序で生じるものとしてブロックを記述しているが、ブロックを再順序付けでき、ブロックを省略でき、および／または、追加のブロックを追加することができる。
【００４７】
［００５３］
動作ブロック７０２において、ＡＰ１０４またはＳＴＡ１０６は、特有の媒体アクセス制御（ＭＡＣ）アドレスを含む送信可（ＣＴＳ）メッセージを発生させ、特有のＭＡＣアドレスは、複数のワイヤレスデバイスのうちの第１のサブセットによって、関係付けられているネットワーク割り振りベクトル（ＮＡＶ）の、メッセージ中の持続時間フィールドにしたがった更新をしないように命令するものとして識別可能である。特有のＭＡＣアドレスは、複数のワイヤレスデバイスのうちの第２のサブセットによって識別可能でなく、複数のワイヤレスデバイスのうちの第２のサブセットは、関係付けられているネットワーク割り振りベクトルの、持続時間フィールドにしたがった更新をするように命令される。例えば、図１に関して、ＡＰ１０４は、ＣＴＳメッセージを発生させてもよく、図３〜６に関連して先述したように、特有のＭＡＣアドレスを１つ以上のアドレスフィールド中に含めてもよいので、少なくともＳＴＡ１０６ｃおよび１０６ｄは、ＳＴＡ１０６ｃおよび１０６ｄに、関係付けられているＮＡＶの、ＣＴＳメッセージ中の持続時間フィールドにしたがった更新をしないように命令するものとして、特有のＭＡＣアドレスを識別するかもしれない。特有のＭＡＣアドレスは、少なくともＳＴＡ１０６ａおよび１０６ｂによっては、ＳＴＡ１０６ｃおよび１０６ｄによってのようには識別可能でないから、ＳＴＡ１０６ａおよび１０６ｂは、それらの関係付けられているＮＡＶの、ＣＴＳメッセージ中の持続時間フィールドにしたがった更新をするように従来通りに命令されるだろう。このようなインプリメンテーションでは、いったんＣＴＳメッセージがＡＰ１０４によって送信され、ＳＴＡ１０６によって受信されると、少なくともＳＴＡ１０６ａおよび１０６ｂは、ＣＴＳメッセージの持続時間の間沈黙され、したがって、少なくともＳＴＡ１０６ｃおよび１０６ｄに対するワイヤレス通信アクセスが予約される。
【００４８】
［００５４］
動作ブロック７０４において、ＡＰ１０４またはＳＴＡ１０６は、メッセージを送信し、それにより、複数のワイヤレスデバイスのうちの第１のサブセットに対するワイヤレス通信アクセスを予約する。例えば、上記で説明したように、ＳＴＡ１０６ｃおよび１０６ｄはそれらのＮＡＶの更新をしないように命令されることから、ＳＴＡ１０６ｃおよび１０６ｄは沈黙されない一方で、レガシーデバイスであるＳＴＡ１０６ａおよび１０６ｂは、それらのＮＡＶの更新をし、ＣＴＳメッセージの持続時間の間沈黙し、したがって、少なくともＳＴＡ１０６ｃおよび１０６ｄに対するワイヤレス通信アクセスが予約されるだろう。
【００４９】
［００５５］
さまざまな異なるテクノロジーおよび技術のうちの任意のものを使用して情報および信号を表すことができることを、当業者は理解するだろう。例えば、上記の説明全体を通して参照できるデータ、命令、コマンド、情報、信号、ビット、シンボル、およびチップは、電圧、電流、電磁波、磁界または磁粒、光界または光粒、あるいはこれらの任意の組み合わせによって表すことができる。
【００５０】
［００５６］
本開示で説明したインプリメンテーションに対するさまざまな変更が、当業者に容易に明白となり、ここで規定した一般的な原理は、本開示の精神または範囲から逸脱することなく他のインプリメンテーションに適用できる。したがって、本開示は、ここで示したインプリメンテーションに限定されるように意図しているものではなく、ここで開示した特許請求の範囲、原理、および新規な特徴に一致した最も広い範囲が与えられるべきである。用語「例示的な」は、「例、インスタンス、または例示として役割を果たすこと」を意味するように、ここで排他的に使用している。「例示的な」ものとしてここで説明するいずれのインプリメンテーションも、他のインプリメンテーションと比較して、好ましいまたは有利なものと必ずしも解釈されるものではない。
【００５１】
［００５７］
別々のインプリメンテーションの状況において本明細書で説明したある特徴は、単一のインプリメンテーションにおいて組み合わせて実現することもできる。反対に、単一のインプリメンテーションの状況において説明したさまざまな特徴は、複数のインプリメンテーションにおいて別々に、または任意の適切なサブコンビネーションにおいて実現することもできる。さらに、特徴は、ある組み合わせで作用するものとして上記で説明され、そのように最初に請求項中に記載されることさえもあるが、請求項中に記載されている組み合わせからの１つ以上の特徴は、いくつかのケースでは、組み合わせから削除することができ、請求項中に記載されている組み合わせは、サブコンビネーション、またはサブコンビネーションのバリエーションに向けられることがある。
【００５２】
［００５８］
ここで使用されるような、アイテムのリスト「のうちの少なくとも１つ」を指すフレーズは、これらのアイテムの、単一のメンバを含む任意の組み合わせを指す。例として、「ａ、ｂ、またはｃ、のうちの少なくとも１つ」は、ａ、ｂ、ｃ、ａ−ｂ、ａ−ｃ、ｂ−ｃ、およびａ−ｂ−ｃをカバーするように意図されている。
【００５３】
［００５９］
上記で説明した方法のさまざまな動作は、さまざまなハードウェアおよび／またはソフトウェアコンポーネント、回路、ならびに／あるいはモジュールのような、動作を実行することが可能な何らかの適切な手段によって実行できる。一般的に、図面中に図示した任意の動作は、動作を実行することが可能な対応する機能手段によって実行できる。
【００５４】
［００６０］
本開示に関連して説明したさまざまな例示的な論理ブロック、モジュール、および回路は、汎用プロセッサ、デジタル信号プロセッサ（ＤＳＰ）、特定用途向け集積回路（ＡＳＩＣ）、フィールドプログラム可能ゲートアレイ信号（ＦＰＧＡ）または他のプログラム可能論理デバイス（ＰＬＤ）、ディスクリートゲートまたはトランジスタ論理、ディスクリートハードウェアコンポーネント、あるいは、ここで説明した機能を実行するように設計されているこれらの任意の組み合わせにより実現しても、または実行してもよい。汎用プロセッサはマイクロプロセッサであってもよいが、代替実施形態では、プロセッサは、何らかの商業的に入手可能なプロセッサ、制御装置、マイクロ制御装置、または状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または他の何らかのこのようなコンフィギュレーションのような、コンピューティングデバイスの組み合わせとして実現してもよい。
【００５５】
［００６１］
１つ以上の態様では、説明した機能を、ハードウェア、ソフトウェア、ファームウェア、またはこれらの任意の組み合わせで実現してもよい。ソフトウェアで実現する場合、機能は、１つ以上の命令またはコードとしてコンピュータ読取可能媒体上に記憶されてもよく、あるいは１つ以上の命令またはコードとしてコンピュータ読取可能媒体上で送信されてもよい。コンピュータ読取可能媒体は、１つの場所から別の場所へのコンピュータプログラムの転送を促進する任意の媒体を含む、コンピュータ記憶媒体および通信媒体の両方を含んでいる。記憶媒体は、コンピュータによってアクセスできる何らかの利用可能な媒体であるかもしれない。限定ではないが、例として、このようなコンピュータ読取可能媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形態で所望のプログラムコードを運ぶまたは記憶するために使用でき、コンピュータによってアクセスできる他の何らかの媒体を含むことができる。また、任意の接続は、コンピュータ読取可能媒体と適切に呼ばれる。例えば、ソフトウェアが、ウェブサイトから、サーバから、あるいは、同軸ケーブルを、光ファイバケーブルを、撚り対を、デジタル加入者線（ＤＳＬ）を、または、赤外線、無線、マイクロ波のようなワイヤレステクノロジーを使用する他の遠隔ソースから送信される場合、同軸ケーブルや、光ファイバケーブルや、撚り対や、ＤＳＬや、または、赤外線、無線、マイクロ波のようなワイヤレステクノロジーは、媒体の定義中に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、通常、ディスク（ｄｉｓｋ）はデータを磁気的に再生する一方で、ディスク（ｄｉｓｃ）はデータをレーザにより光学的に再生する。したがって、いくつかの態様では、コンピュータ読取可能媒体は、非一時的コンピュータ読取可能媒体（例えば、有形の媒体）を含んでいる。さらに、いくつかの態様では、コンピュータ読取可能媒体は、一時的コンピュータ読取可能媒体（例えば、信号）を含んでいる。上記の組み合わせも、コンピュータ読取可能媒体の範囲内に含まれるべきである。
【００５６】
［００６２］
ここで開示した方法は、説明した方法を達成するための１つ以上のステップまたはアクションを含んでいる。方法のステップおよび／またはアクションは、特許請求の範囲から逸脱することなく、互いに交換可能であってもよい。言い換えると、ステップまたはアクションの特定の順序が特定されていない限り、特定のステップおよび／またはアクションの順序および／または使用を、特許請求の範囲から逸脱することなく変更してもよい。
【００５７】
［００６３］
さらに、ここで説明した方法および技術を実行するモジュールおよび／または他の適切な手段を、ユーザ端末および／または基地局によって、適宜、ダウンロードできることを、および／または、そうでなければ取得できることを認識すべきである。例えば、このようなデバイスは、ここで説明した方法を実行する手段の転送を促進するように、サーバに結合することができる。代替的に、ここで説明したさまざまな方法は、記憶手段をデバイスに結合または提供する際にユーザ端末および／または基地局がさまざまな方法を取得することができるように、記憶手段（例えば、ＲＡＭ、ＲＯＭ、コンパクトディスク（ＣＤ）またはフロッピーディスクのような物理記憶媒体等）を介して提供することができる。さらに、ここで説明した方法および技術をデバイスに提供するための、他の何らかの適切な技術が利用できる。
【００５８】
［００６４］
先述したものは、本開示の態様に向けられているが、本開示の他の態様およびさらなる態様を、その基本的な範囲から逸脱することなく考案することができ、その範囲は、下記の特許請求の範囲によって決定される。
【図１】
2016536876.tif 000003
【図２】
2016536876.tif 000004
【図３】
2016536876.tif 000005
【図４】
2016536876.tif 000006
【図５】
2016536876.tif 000007
【図６】
2016536876.tif 000008
【図７】
2016536876.tif 000009
【国際調査報告】
2016536876.tif 000010
2016536876.tif 000011
2016536876.tif 000012